(57)【要約】【課題】  防水機能及び耐電磁波ノイズ機能を有し、且つ、電磁波ノイズ対策が不要の構造に変更する場合にスペース効率が良い防水コネクタを提供する。【解決手段】  コネクタハウジング３に一端が開口された複数の端子収容室５を有し、この各端子収容室５内に電線Ｗの端部に接続された端子１０と該電線Ｗの端部に装着された防水栓１３とを収容し、この防水栓１３で端子収容室１３の開口を閉塞するようにした防水コネクタ１において、防水栓１３をフェライト材が混入されたゴム材にて形成した。【選択図】      図１
2006012487.tif 000002
【特許請求の範囲】
【請求項１】
コネクタハウジングに一端が開口された複数の端子収容室を有し、この各端子収容室内に電線の端部に接続された端子と該電線の端部に装着された防水栓とを収容し、この防水栓で前記端子収容室の開口を閉塞するようにした防水コネクタにおいて、
前記防水栓をフェライト材が混入されたゴム材にて形成したことを特徴とする防水コネクタ。
【請求項２】
請求項１記載の防水コネクタであって、
前記フェライト材が混入されたゴム材はラバーフェライトであることを特徴とする防水コネクタ。
【発明の詳細な説明】
【技術分野】
【０００１】
本発明は、防水対策と共に耐電磁波ノイズ対策を施した防水コネクタに関する。
【背景技術】
【０００２】
例えば、自動車の電気配線に用いられる防水コネクタとして、電磁波ノイズ対策を施したものが種々提案されている（例えば、特許文献１，２参照）。この類似技術を図３及び図４に示す。
【０００３】
図３及び図４に示すように、防水コネクタ１００は、アウターハウジング１０１と、このアウターハウジング１０１の各インナー装着室１０１ａ内に装着された２個のインナーハウジング１０２とを備えている。
【０００４】
各インナーハウジング１０２は、複数の端子収容室１０３を有し、この各端子収容室１０３内に電線とゴム栓を共に加締めた端子（いずれも図示しない）が収容されるようになっている。また、アウターハウジング１０１の各インナー装着室１０１ａの開口側で、且つ、各インナーハウジング１０２の全外周にはフェライト枠材１０５が設けられている。
【０００５】
上記構成において、防水コネクタ１００の各端子収容室１０３に図示しない端子を収容すると、この収容された端子がインナーハウジング１０２のランス１０４に係止される。そして、防水コネクタ１００内の電磁波ノイズにおける悪影響をフェライト枠材１０５によって防止する。
【特許文献１】特開２００３−２４９３０８号公報
【特許文献２】特開平６−２６０２４０号公報
【発明の開示】
【発明が解決しようとする課題】
【０００６】
ところで、車両毎（例えば、車種毎、グレード毎等）にノイズ特性が異なり、電磁波ノイズ対策が不要な場合もある。このような場合には、コストダウンや軽量化を図るためにフェライト枠体１０５を取り外したいが、フェライト枠体１０５を取り外した防水コネクタ１００はスペース効率の悪いものとなった。
【０００７】
一方、被水の可能性がある箇所に設置される防水コネクタは、防水対策が必要不可欠であるが、電磁波ノイズ対策については必要な場合と不要な場合がある。そして、電磁波ノイズ対策が不要な場合には前述したように防水コネクタがスペース効率の悪いものになるという問題があった。
【０００８】
そこで、本発明は、前記した課題を達成するべくなされたものであり、防水機能及び耐電磁波ノイズ機能を有し、電磁波ノイズ対策が不要の構造に変更する場合でもスペース効率が良い防水コネクタを提供することを目的とする。
【課題を解決するための手段】
【０００９】
請求項１の発明は、コネクタハウジングに一端が開口された複数の端子収容室を有し、この各端子収容室内に電線の端部に接続された端子と該電線の端部に装着された防水栓とを収容し、この防水栓で前記端子収容室の開口を閉塞するようにした防水コネクタにおいて、前記防水栓をフェライト材が混入されたゴム材にて形成したことを特徴とする。
【００１０】
請求項２の発明は、請求項１記載の防水コネクタであって、フェライト材が混入されたゴム材はラバーフェライトであることを特徴とする。
【発明の効果】
【００１１】
請求項１の発明によれば、防水栓が端子収容室を閉塞することによって端子収容室内に水が浸入することを防止することができると共に、防水栓によって電磁波ノイズが外部より端子収容室内に浸入したり、逆に外部に漏れることを確実に防止することができる。また、電磁波ノイズ対策が不要な場合には防水栓を単なる防水素材のものに変更すれば良く、電磁波ノイズ対策の有無によってスペース効率に変更がでない。これにより、防水機能及び耐電磁波ノイズ機能を有し、電磁波ノイズ対策が不要の構造に変更する場合でもスペース効率が悪くならない。
【００１２】
請求項２の発明によれば、請求項１の発明と同様の効果が得られる。
【発明を実施するための最良の形態】
【００１３】
以下、本発明の一実施形態を図面に基づいて説明する。
【００１４】
図１及び図２は本発明の一実施形態を示し、図１は防水コネクタと端子の斜視図、図２は防水コネクタの断面図である。
【００１５】
図１及び図２に示すように、防水コネクタ１は、コネクタハウジングであるアウターハウジング２と、コネクタハウジングである２つのインナーハウジング３，３とを備えている。アウターハウジング２には２箇所にインナー装着室４，４が形成され、この各インナー装着室４内にインナーハウジング３がそれぞれ装着されている。各インナーハウジング３には複数の端子収容室５が規則正しい配列で形成されている。この各端子収容室５は、防水性構造で、その一端側がアウターハウジング２の一面側に開口されている。この各端子収容室５の内部には後述す圧着端子１０及び防水栓１３がそれぞれ収容され、この圧着端子１０はランス６及び端子２重係止部材７によってそれぞれ２重に係止されるようになっている。
【００１６】
圧着端子（端子）１０は、電線接続部１１と、端子接触部１２から構成されている。この圧着端子１０の電線接続部１１には電線Ｗの端部が加締めて接続されていると共に、該電線Ｗの端部に圧入された防水栓１３が加締めて固定されている。即ち、この防水栓１３は電線Ｗとの共加締めによって電線接続部１１に固定されている。
【００１７】
また、防水栓１３は、フェライト材が混入されたゴム材、例えば、ラバーフェライトにて形成されている。このラバーフェライトは防水材として使用されるシリコンゴムとほぼ同等の弾性特性を有する。
【００１８】
上記構成において、防水コネクタ１の各端子収容室５に圧着端子１０及び防水栓１３をそれぞれ収容すると、この収容された各圧着端子１０がランス６に係止される。そして、各電線Ｗの端部に加締め固定された防水栓１３が各端子収容室５の開口を閉塞する。この防水栓１３が端子収容室５の開口を閉塞することによって端子収容室５内に水が浸入することを防止することができる。また、ラバーフェライト製の防水栓１３によって電磁波ノイズが外部より端子収容室５内に浸入したり、逆に外部に漏れることを確実に防止することができる。つまり、各端子収容室５毎に電磁波シールドがなされる。
【００１９】
また、電磁波ノイズ対策が不要な場合には、防水栓を単なる防水素材（例えばシリコンゴム製のゴム栓）のものに変更して使用する。
【００２０】
以上、防水機能及び耐電磁波ノイズ機能を有し、しかも、電磁波ノイズ対策が不要の構造に変更する場合に防水コネクタ１及び圧着端子１０ともにスペース効率が良い。また、安価なシリコンゴム等に変更することによってコストダウンをより一段と図ることができる。
【図面の簡単な説明】
【００２１】
【図１】本発明の一実施形態を示し、防水コネクタと端子の斜視図である。
【図２】本発明の一実施形態を示し、防水コネクタの断面図である。
【図３】従来の防水コネクタの斜視図である。
【図４】従来の防水コネクタの断面図である。
【符号の説明】
【００２２】
１  防水コネクタ
２  アウターハウジング（コネクタハウジング）
３  インナーハウジング（コネクタハウジング）
５  端子収容室
１０  圧着端子（端子）
１３  防水栓
Ｗ  電線
【図１】
2006012487.tif 000003
【図２】
2006012487.tif 000004
【図３】
2006012487.tif 000005
【図４】
2006012487.tif 000006